(57)【特許請求の範囲】
【請求項１】
回転リール機構を収納して成るリール体をタンデム配置状に複数並べて天井面から吊り下げられた当該リール体相互の隙間を覆い、且つ隣接するリール体の外周縁部側面間に挟持される状態となってリール体同士を保持固定させるスペーサーカバー本体から成り、このスペーサーカバー本体は、リール体の外周側面に対して略一面となるようにリール体相互の隙間を覆装させるよう帯板を略Ｃ字型に湾曲形成して成り、リール体には、スペーサーカバー本体により被覆されたリール体同士の間隙に位置させて、長ナット状にしてスペーサーカバー本体とは別体にして配されるか、両端にメネジを有してスペーサーカバー本体と一体形成されるかしてあるナットスペーサー部材を介してネジ止め連結させるリール体連結固定手段を付設したことを特徴とするリール体用連結カバー具。
【請求項２】
スペーサーカバー本体は、天井面に配したリール体取付用のベース部材あるいはリール体に対し取付手段を介して着脱可能に取り付けられて成るものとした請求項１記載のリール体用連結カバー具。
【請求項３】
スペーサーカバー本体は、その内面側の中央長手方向に沿って片状の補強リブが形成されている請求項１または２記載のリール体用連結カバー具。
【請求項４】
天井面に固定手段を介して取り付けたベース部材と、ベース部材にリール体取付手段を介して取り付けられ、タンデム配置状に複数並べて天井面から吊り下げられることになるリール体と、吊り下げられた当該リール体相互の隙間を覆い、且つ隣接するリール体の外周縁部側面間に挟持される状態となってリール体同士を保持固定させたスペーサーカバー本体と、スペーサーカバー本体により被覆されたリール体同士の間隙に位置させて、長ナット状にしてスペーサーカバー本体とは別体にして配されるか、両端にメネジを有してスペーサーカバー本体と一体形成されるかしてあるナットスペーサー部材を介してネジ止め連結させるリール体連結固定手段とを有することを特徴とするリール体用連結カバー具を利用した多連結型リール装置。
【発明の詳細な説明】
【０００１】
【発明の属する技術分野】
本発明は、主としてガソリンスタンド、自動車整備工場、板金工場等で使用され、例えばエアー供給、給油等のホース、あるいは給電、繋電等のコード等を不使用時には巻回収納しておき、使用時には引き出して使用するために作業現場の天井面等にリール体を複数並べて配置するとき、これらの複数のリール体同士の隙間を覆うためのリール体用連結カバー具およびこれを利用した多連結型リール装置に関するものである。
【０００２】
【従来の技術】
従来、リール体には自体の巻回付勢力によってホース、コード等の被巻回物を当該リール体に巻き込ませるための重量性のあるバネが内蔵配置されているのが殆どである。こうしたリール体は、これから引き出されるホース、コード等が例えばガソリンスタンド、自動車整備工場、板金工場等で使用されるとき、作業現場で邪魔にならないように天井面に設置されることがある。ただ、そのリール体等が天井面に露出状態で設置されると不体裁となるためにカバー等によって覆われることが多い。そのためのこの種のリール体用連結カバー具としては、例えば実公平６−２６５２５号公報に開示されているように、内蔵バネによるリールの巻回付勢力によって被巻回物をリールに巻き込ませて成る２つの回転リール機構を中央仕切板の両側面に取り付け、これを左右両側から箱形のカバー体で覆う構造のものが存在する。さらには、リール体を複数並べて天井面から吊り下げられた状態で支持させておいて、それらの全体をカバー体で覆う構造のものも存在する。
【０００３】
【発明が解決しようとする課題】
しかしながら、上記従来例においてリール体に内蔵されたバネ自体が非常に重くて、しかもそのバネ自体はリール体の片側に偏って配置されているためにもともと重量バランスが悪く、こうした重量バランスの不均衡のためにリール体自体が傾いてしまうのが避けられないのが現状である。また、従来提案の実公平６−２６５２５号公報に開示されている如きリール体用連結カバー具では、２つの回転リール機構を中央の仕切板を介して左右両側からカバー体で覆う構造であるため、さらに３連、４連等の構成とした場合も含めて、いずれかの回転リール機構が故障した場合にそれを交換する際に、カバー体、仕切板、回転リール機構等の全てを分解しなければならず、保守、点検等のメンテナンスが非常に面倒である。さらに、リール体を複数並べて天井面から吊り下げられた状態で全体をカバー体で覆う構造によれば、複数のリール体全体を纏めてカバー体で覆うために外観的に大嵩となり体裁が悪く、しかも高額となる等の問題点を有していた。
【０００４】
そこで本発明は叙上のような従来存した諸事情に鑑み創出されたもので、ホース、コード等の被巻回物をリール体に巻き込み付勢するためにリール体の片側に偏って配置されている重量性のある内蔵バネ自体の重量バランスの不均衡等によってリール体自体が傾いてしまうのを確実に矯正できると共に、任意数の複数連で配置されるリール体相互の間隙を覆うことができ、また複数連で配置された場合でもその全体がコンパクトで体裁が良好なものとなり、しかも保守、点検等のメンテナンスが容易で且つ安価であるリール体用連結カバー具およびこれを利用した多連結型リール装置を提供することを目的とする。
【０００５】
【課題を解決するための手段】
上述した課題を解決するため、本発明に係るリール体用連結カバー具１にあっては、回転リール機構を収納して成るリール体２をタンデム配置状に複数並べて天井面から吊り下げられた当該リール体２相互の隙間を覆い、且つ隣接するリール体２の外周縁部側面間に挟持される状態となってリール体２同士を保持固定させるスペーサーカバー本体３，４１から成るものである。
スペーサーカバー本体３，４１は、天井面に配したリール体取付用のベース部材１０あるいはリール体２に対し取付手段（３７，３８、４４，４５）を介して着脱可能に取り付けられて成るものとできる。
スペーサーカバー本体３，４１は、リール体２の外周側面に対して略一面となるようにリール体２相互の隙間を覆装させるよう帯板を略Ｃ字型に湾曲形成して成るものとできる。
スペーサーカバー本体３（４１）は、その内面側の中央長手方向に沿って片状の補強リブ３４Ａ，３４Ｂが形成されているものとできる。
リール体２には、スペーサーカバー本体３，４１により被覆されたリール体２同士の間隙に位置させたナットスペーサー部材（２１，４２）を介してネジ止め連結させるリール体連結固定手段２０，４０を付設したものとでき、ナットスペーサー部材（２１，４２）は、長ナット状にしてスペーサーカバー本体３とは別体にして配されるか、両端にメネジを有してスペーサーカバー本体４１と一体形成されるかしてある
また、上記のスペーサーカバー本体３，４１から成るリール体用連結カバー具１を利用した本発明に係る多連結型リール装置にあっては、天井面に固定手段１３を介して取り付けたベース部材１０と、ベース部材１０にリール体取付手段１４を介して取り付けられ、タンデム配置状に複数並べて天井面から吊り下げられることになるリール体２と、吊り下げられた当該リール体２相互の隙間を覆い、且つ隣接するリール体２の外周縁部側面間に挟持される状態となってリール体２同士を保持固定させたスペーサーカバー本体３，４１と、スペーサーカバー本体３，４１により被覆されたリール体２同士の間隙に位置させたナットスペーサー材２１，４２を介してネジ止め連結させるリール体連結固定手段２０，４０とを有するものである。
【０００６】
以上のように構成された本発明に係るリール体用連結カバー具１およびこれを利用した多連結型リール装置にあって、スペーサーカバー本体３，４１は、リール体２をタンデム配置状に複数並べて天井面から吊り下げられることで形成されるリール体２相互の隙間を覆うと共に、隣接するリール体２の外周縁部側面間に挟持される状態となって隣接するリール体２同士をしっかりと保持固定させ、重量バランスの不均衡によってリール体２自体が傾いてしまうのを矯正させる。
天井面に配したリール体取付用のベース部材１０は、当該ベース部材１０に複数のリール体２を吊り下げさせた状態で支持させる。そして第１の取付手段（３７，３８）はリール体２相互の隙間を覆うようにしてスペーサーカバー本体３をベース部材１０に、また第２の取付手段（４４，４５）は同様にリール体２に直接にスペーサーカバー本体４１を着脱可能に取り付けさせる。
帯板を略Ｃ字型に湾曲形成して成るスペーサーカバー本体３，４１は、天井面から吊り下げられることになるリール体２に対しスペーサーカバー本体３，４１自体を外周側面方向から容易に取り付けさせ、リール体２の外周側面と略一面となってリール体２相互の隙間に覆装させる。
スペーサーカバー本体３（４１）の内面側の中央長手方向に沿って形成された片状の補強リブ３４Ａ，３４Ｂは、当該スペーサーカバー本体３（４１）自体の捩れや撓み変形を阻止させることとなって、スペーサーカバー本体３（４１）を介してのリール体２相互の連結を強固なものにさせる。
リール体２同士をナットスペーサー材２１，４２を介してネジ止め連結させるリール体連結固定手段２０，４０は、スペーサーカバー本体３，４１と別体あるいは一体であるもナットスペーサー材２１，４２を介してのリール体２相互の連結を強固なものとさせ、リール体２相互の間隔を常に一定の距離となるように保持させる。
【０００７】
【発明の実施の形態】
以下、図１乃至図５を参照して本発明の第１の実施の形態を説明すると、図において示される符号１は本発明に係るリール体用連結カバー具であり、主としてガソリンスタンド、自動車整備工場、板金工場等において、例えばエアー供給、給油等の耐熱性、ソフトブレード性等のホース、あるいは給電、繋電等のコード等の被巻回物４を不使用時には巻回収納しておき、使用時には作業員自身の手で下方に直接引き出して使用するために作業現場の天井面に配置されるリール体２相互の隙間に配装されるものである。すなわちこのリール体用連結カバー具１自体は、天井面等に例えば２連あるいは３連以上となって、内蔵された回転リール機構（図示せず）の回転軸が直列に並んで配置するいわゆるタンデム配置状に複数並べて天井面から吊り下げられるリール体２相互の隙間を覆い、且つ隣接するリール体２の外周縁部側面間に挟持される状態となってリール体２同士を保持固定させるためのスペーサーカバー本体３から成っているものである。
【０００８】
このリール体用連結カバー具１自体は、天井面に配した後述するリール体取付用のベース部材１０に対し後述する取付手段（３７，３８）を介して着脱可能に取り付けられるスペーサーカバー本体３から構成されている。また、リール体２自体は、図３に示すように、後述する単体の回転リール機構を左右から一対のカバー体２Ａ，２Ｂによって覆い、例えば２連あるいは３連以上となって、後述するリール体取付手段１４により、天井面に配置固定されるリール体取付用のベース部材１０に取り付けられるものとしてある。
【０００９】
図示による説明を省略するが、リール体２の構成は、例えばカバー体２Ａ，２Ｂの内側面中央に形成した筒形突起状の受部に回転リール機構の回転軸端部を回転可能に枢着支持され、リール体２の外周縁部の斜下側に設けた被巻回物引出口５を介して回転リール機構から被巻回物４を下方に引き出すようになっている。このとき回転リール機構自体が回転して、例えば約８ｍ〜１０ｍ程度迄等の必要な長さ分で延びるが、回転リール機構自体は被巻回物４を当該回転リール機構に巻き込まれる方向に回転付勢させた内蔵バネのバネ力により常時張力をもって延びた状態であり、自動ロック機構を内蔵させているためバネ力によりコードやホース等の被巻回物４は回転リール機構に巻き戻されることがなく垂れ下がった状態となっている。一方、回転リール機構から被巻回物４を若干引き出すことでロック解除可能となって被巻回物４は復原するバネ力に任せて回転リール機構に自動的に巻き戻される周知の構造のものとしてある。このとき、もともと内蔵バネ自体はリール体２内で片側に偏って配置されているため、内蔵バネ自体の重量バランスの不均衡によってリール体２自体が傾いてしまうものである。
【００１０】
そして、図に示すように、天井面に配置固定されるよう、固定手段１３が例えばねじ止めで固着されているベース部材１０にリール体２が吊り下げ配置されるものとしてある。具体的には例えば天井面に垂下させた梁等の天井部材１１の下端における両面を挟むように左右一対のアングル材１２がそれぞれ一方のフランジ部を溶接等により固着して他方のフランジ部が互いに外方に向くようにして水平に対向配置させておく。そして、左右のアングル材１２の両側外方から、側面から見て略コ字型の締付ネジ付咬持金具等による固定手段１３をそれぞれのアングル材１２のフランジ部に咬ませてからネジ締結することで、板状のベース部材１０が固定される。そして、このベース部材１０に対し例えば２連あるいは３連以上となって、回転リール機構の回転軸が直列に並んで配置するいわゆるタンデム配置状に複数並べられるようにリール体２の上側部がネジ締結可能な略コ字枠形状のリール体取付手段１４を介してベース部材１０の下面に固定されるものとなっている。
【００１１】
また、図３に示すように、リール体２の被巻回物引出口５側には、スペーサーカバー本体３により被覆される内側において当該リール体２同士をナットスペーサー材２１を介してネジ止め固定させるリール体連結固定手段２０を付設してある。このリール体連結固定手段２０は、リール体２の外周縁部側面を貫通するように例えば被巻回物引出口５を挟んで予め設けられている一対のネジ挿通孔２２それぞれを利用してリール体２相互を連結するのである。すなわち、隣接するリール体２同士の間隔に相当する長さを有するナットスペーサー材２１を隣接するリール体２相互の間隙内で、その間隙内における位置で対応するネジ挿通孔２２と連通するように挟持させ、両リール体２の外側からそれぞれのネジ挿通孔２２にネジ材２３を挿入し、両ネジ挿通孔２２に挟まれたナットスペーサー材２１に捩じ込むことでリール体２相互を連結固定するのである。
【００１２】
被巻回物４がコードの場合は先端にコンセントが取り付けられ、このコンセントにランプの差し込みコードが接続されると共に、コード基端側は回転リール機構の回転軸を介してリール体２の外側に延出されて電源接続用のプラグコードとなっている。一方、被巻回物４がホースの場合には先端にカプラが取り付けられ、このカプラに吐出用のノズルが接続されると共に、ホース基端側は回転リール機構の回転軸を介してリール体２の外側に延出されて供給源接続用のコネクターホースとなっている。
【００１３】
また、コンセントまたはカプラ等を手が届く高さに保持させておくように、コード、ホース等の被巻回物４の必要な長さ分を常時引き延ばしておくために、リール体２の被巻回物引出口５の径よりも大きな外径を有する例えばボール弾性体によるストッパー具６が被巻回物に止着されている（図３参照）。
【００１４】
スペーサーカバー本体３は、図４に示すように、隣接するリール体２相互の間隙幅員に対応した幅員を有する帯板を略馬蹄型形状または略Ｃ字型形状等に湾曲して一端が開放され、この開放箇所においてそれぞれ内側にＬ字状に折り曲げた一対の取付片部３１Ａ，３１Ｂがそれぞれ対向配置した形状となって、例えばポリプロピレン樹脂（ＰＰ）等の合成樹脂材にて形成してある。このスペーサーカバー本体３の湾曲された外形状は、リール体２相互の隙間を覆装させた際に、リール体２の外周側面に対して略一面となるように形成されている。そして、この取付片部３１Ａ，３１Ｂの内面側には筒状のネジ取付孔３２Ａ，３２Ｂを対向形成し、それぞれの取付片部３１Ａ，３１Ｂの端部には一方が短目で他方が長目となるようにして内側に折り曲げられた保持片部３３Ａ，３３Ｂが形成されている。また、スペーサーカバー本体３の内面側には、図５に示すように、その中央長手方向に沿ってリール体２の被巻回物引出口５の位置に対応する箇所以外に、片状あるいはビード状の補強リブ３４Ａ，３４Ｂが突出形成されている。尚、Ｌ字状の取付片部３１Ａ，３１Ｂそれぞれは、リール体２夫々をベース部材１０に取り付けるリール体取付手段１４の外形に沿うようになっていて、複連配置のリール体２上部相互間の外形状に対応して体裁が良いものとなるようにするものであり、これが考慮されない場合には形成されないこともある。
【００１５】
一方、天井面に配した前記ベース部材１０のリール体２が取り付けられている間の下面側には、取付片部３１Ａ，３１Ｂの筒状のネジ取付孔３２Ａ，３２Ｂに対応させる孔を略中央に設け、スペーサーカバー本体３の取付片部３１Ａ，３１Ｂを当接支持させるための受片部３０Ａ，３０Ｂが下向きに突出形成されている。そして、受片部３０Ａ，３０Ｂの付け根からベース部材１０下面に沿って保持片部３３Ａ，３３Ｂを嵌挿配置させるために当該保持片部３３Ａ，３３Ｂを覆うコ字形の挿入部３５Ａ，３５Ｂが形成され、一方の挿入部３５Ａ側寄りには後述する長尺ネジ材３７を案内させるためのガイド片部３６が必要に応じて突出形成されている。
【００１６】
スペーサーカバー本体３をリール体２相互間に取り付ける際には、保持片部３３Ａ，３３Ｂをベース部材１０の挿入部３５Ａ，３５Ｂに嵌挿させて取付片部３１Ａ，３１Ｂを受片部３０Ａ，３０Ｂに当接支持させておき、取付片部３１Ａ，３１Ｂのネジ取付孔３２Ａ，３２Ｂとガイド片部３６に取付手段としての長尺ネジ材３７を貫挿させてから、長尺ネジ材３７のネジ先端部に袋ナット等のナット材３８を捩じ込むことで、取付片部３１Ａ，３１Ｂが互いに内側に締め付けられてスペーサーカバー本体３がベース部材１０に固定されるものとしてある。このようにリール体２相互間にスペーサーカバー本体３を配置させることにより、リール体２同士をしっかりと保持固定させると共に、リール体２の片側に偏って配置されている内蔵バネ自体の重量バランスの不均衡によってリール体２自体が傾いてしまうのを確実に矯正するものとしてある。スペーサーカバー本体３のリール体２相互間への取付配置は図示のように長尺ネジ材３７、ナット材３８から成る取付手段のものとしてあるも、その取付形態・構造等はこの図示例に限定されるものではない。
【００１７】
尚、本実施の形態においては、例えば単体の回転リール機構を収納して成る既成のリール体２をタンデム配置状に複数並べて天井面から吊り下げられた当該リール体２相互の隙間を覆い、且つ隣接するリール体２の外周縁部側面間に挟持される状態となってリール体２同士を保持固定させるようにリール体取付用のベース部材１０に取り付けられるスペーサーカバー本体３だけでリール体用連結カバー具１自体を形成しているが、単体の回転リール機構を左右から覆う一対のカバー体２Ａ，２Ｂと、隣接するカバー体２Ａ，２Ｂの外周縁部側面間に挟持される状態となって取り付けられるスペーサーカバー本体３とを組み合わせることによってリール体用連結カバー具１が構成されていても良い。
【００１８】
次に、以上のように構成された実施の形態についての使用、組立の一例を説明するに、図１に示すように、先ず回転リール機構が収納されて成る既成のリール体２を、例えば２連あるいは３連以上となって、回転リール機構の回転軸が直列に並んで配置するいわゆるタンデム配置状に並ぶように天井面の天井部材１１、アングル材１２等に取り付けられたリール体取付用のベース部材１０を介して吊り下げ配置する。このときリール体連結固定手段２０により、リール体２の被巻回物引出口５側同士をナットスペーサー材２１を介してネジ材２３でネジ止め固定してリール体２のそれぞれを連結させておく。
【００１９】
スペーサーカバー本体３をリール体２相互間に取り付ける際には、スペーサーカバー本体３の保持片部３３Ａ，３３Ｂをベース部材１０の挿入部３５Ａ，３５Ｂに嵌挿させ、取付片部３１Ａ，３１Ｂのネジ取付孔３２Ａ，３２Ｂとガイド片部３６に取付手段としての長尺ネジ材３７を貫挿させておき、長尺ネジ材３７のネジ先端部にナット材３８を捩じ込むことで、取付片部３１Ａ，３１Ｂが互いにベース部材１０の受片部３０Ａ，３０Ｂ側に締め付けられた状態となってスペーサーカバー本体３がベース部材１０に固定される。
【００２０】
このようにリール体取付用のベース部材１０に取り付けられたスペーサーカバー本体３は、複数のリール体２相互の隙間を覆い、且つ隣接するリール体２のカバー体２Ａ，２Ｂの外周縁部側面間に挟持される状態となってリール体２同士をしっかりと保持固定させ、リール体２の片側に偏って配置されている内蔵バネ自体の重量バランスの不均衡によってリール体２自体が傾いてしまうのを確実に矯正することとなるのである。
【００２１】
また、複数のリール体２のうちいずれかが故障した場合には、取付片部３１Ａ，３１Ｂから取付手段としての長尺ネジ材３７、ナット材３８のそれぞれを外すことでベース部材１０から故障したリール体２の左右いずれかに隣接するスペーサーカバー本体３の一つを取り外し、さらにスペーサーカバー本体３が解放されている故障したリール体２の側面からリール体連結固定手段２０のネジ材２３を外してナットスペーサー材２１を取り外した後、故障したリール体２のみをベース部材１０から取り外せばよく、こうすることで新規なリール体２と容易に交換することができるのである。
【００２２】
次に、図６乃至図８に示された第２の実施の形態を説明すると、この第２の実施の形態においては、リール体２相互の間隙に配されるスペーサーカバー本体４１はリール体２に直接に取付手段４４，４５を介して取り付けられるものとし、また、リール体２相互はこのスペーサーカバー本体４１に一体形成のナットスペーサー部４２を介してネジ止めされるリール体連結固定手段４０を備えたものとしたのである。
【００２３】
すなわち先の第１の実施の形態におけるスペーサーカバー本体３とほぼ同様に形成された開放端があるほぼＣ字形のスペーサーカバー本体４１において、リール体連結固定手段４０は、リール体２におけるネジ挿通孔２２位置に対応してスペーサーカバー本体４１内側面に、両端にメネジが形成されていて、スペーサーカバー本体４１自体の幅員方向に沿って隆条状の突部となっているナットスペーサー部４２を設けると共に、開放端の両側に突設形成した取付片４４を貫挿したネジ材４５によってリール体２にネジ止めするようにして成るものである。
【００２４】
図示にあってナットスペーサー部４２はスペーサーカバー本体４１と一体形成されるものとなっており、ネジ挿通孔２２位置に対応合致してリール体２相互間の間隙に配され、リール体２の外側からカバー体２Ａ，２Ｂを貫挿する長尺ネジ材４３がネジ込まれることでリール体２相互を強固に連結するものとしてあり、例えば２ヶ所のネジ挿通孔２２に対応するようナットスペーサー部４２は２本にして形成してある。もとより図７に示すようにリール体２が２連形態のときには２本のナットスペーサー部４２それぞれによってネジ止めすることで一層強固な連結状態となり、また図示を省略したが３連以上の形態となるときであれば隣接するリール体２同士で交互の位置で長尺ネジ材４３によってネジ込まれることで多連形態に対応可能なものとなっている。こうした一体形成のナットスペーサー部４２によって、第１の実施の形態における別体のナットスペーサー材２１とすることによる部材の管理、取扱いの容易性等を一層向上させることができる。
【００２５】
また、このスペーサーカバー本体４１をリール体２相互間で取付固定する取付手段は、スペーサーカバー本体４１の開放端それぞれにおける左右両側に、リール体２における例えばカバー体２Ａ，２Ｂ相互を連結するためのネジ孔４６等を利用すべく、そのネジ孔４６位置に対向するようにした平面でほぼＬ字形を呈する取付片４４を突設形成しておき、この取付片４４に貫挿したネジ材４５によってリール体２にネジ止めして成るようにしたものである。この取付手段４４，４５によれば、第１の実施におけるそれと異なり、ベース部材１０に受片部３０Ａ，３０Ｂ、取付片部３１Ａ，３１Ｂ、保持片部３３Ａ，３３Ｂ等を形成する必要がなく、構造的に簡素化したものとできる。尚、上記のネジ挿通孔２２、ネジ孔４６等は予めリール体２のカバー体２Ａ，２Ｂに形成されているものを利用する場合に限らず、別に開穿形成できるのは勿論である。また左右の取付片４４相互は図示のようにスペーサーカバー本体４１の開放端それぞれで連続させておくことでスペーサーカバー本体４１の開放端部位においての強度性を増大できる利点もある。
【００２６】
この第２の実施の形態におけるスペーサーカバー本体４１の使用は、図７、図８に示すようにベース部材１０に吊り下げ配置されたリール体２相互の間隙に位置してスペーサーカバー本体４１自体を配装し、取付片４４に貫挿したネジ材４５によってリール体２にネジ止めすると共に、リール体連結固定手段４０においてはリール体２相互の間隙に位置するナットスペーサー部４２に対してリール体２外側からリール体２を貫挿した長尺ネジ材４３をネジ込むのである。また、図示を省略したが、３連以上のリール体２の配置形態のときには、隣接するリール体２で交互に位置を違えたナットスペーサー部４２に順次に長尺ネジ材４３をネジ込めばよいのである。
【００２７】
【発明の効果】
本発明は以上のように構成されているために、リール体２の如く被巻回物４をリール体２内自体に巻き込み収納付勢するために当該リール体２の片側に偏って配置されている重量性のある内蔵バネ自体の重量バランスの不均衡によってリール体２自体が傾いてしまうのを確実に矯正でき、しかも複数連となる任意数のリール体２相互の間隙を覆うことができ、またそれらの全体をコンパクトにして体裁を良好なものとし、しかも保守、点検等のメンテナンスが容易で且つ安価にすることができる。
【００２８】
すなわちこれは本発明において、回転リール機構を収納して成るリール体２をタンデム配置状に複数並べて天井面から吊り下げられた当該リール体２相互の隙間を覆い、且つ隣接するリール体２の外周縁部側面間に挟持される状態となってリール体２同士を保持固定させるスペーサーカバー本体３，４１から成るものとしたからであり、これによって、隣接するリール体２同士をしっかりと保持固定させることができ、重量バランスの不均衡に伴うリール体２自体の傾倒に対し、強固な矯正力を発揮させることができ、しかも外観上コンパクトで体裁の良好なものとすることができる。
【００２９】
スペーサーカバー本体３，４１であるリール用連結カバー具１は、天井面に配したリール体取付用のベース部材１０あるいはリール体２に対し取付手段（３７，３８、４４，４５）を介して着脱可能に取り付けられて成るものとしたので、ベース部材１０に複数のリール体２が吊り下げられた状態でもスペーサーカバー本体３を取付手段（３７，３８）を介してベース部材１０に、また、スペーサーカバー本体４１を取付手段（４４，４５）を介してリール体２に、それぞれ容易に取り付けることができ、リール体２相互の隙間を確実に覆うことができる。
【００３０】
スペーサーカバー本体３，４１は、リール体２の外周側面に対して略一面となるようにリール体２相互の隙間を覆装させるよう帯板を略Ｃ字型に湾曲形成して成るので、天井面から吊り下げられたリール体２に対しスペーサーカバー本体３，４１自体を外周側面方向から容易に取り付けさせたり取り外したりすることができるばかりでなく、複数連で配置のリール体２のいずれかの交換、それぞれが単独での配置の独立性と相俟って保守、点検等のメンテナンスが容易で且つ安価なものとすることができる。しかもリール体２の外周側面と略一面となってリール体２相互の隙間を覆装させることができ、複数連配置でも全体としてコンパクトで体裁の良いものとすることができる。
【００３１】
スペーサーカバー本体３（４１）は、その内面側の中央長手方向に沿って片状の補強リブ３４Ａ，３４Ｂが形成されているので、スペーサーカバー本体３自体の捩れや撓み変形を防止でき、当該スペーサーカバー本体３（４１）を介してのリール体２相互の連結を強固なものにすることができる。
【００３２】
リール体２には、スペーサーカバー本体３，４１により被覆されたリール体２同士の間隙に位置させたナットスペーサー部材（２１，４２）を介してネジ止め連結させるリール体連結固定手段２０，４０を付設したので、ナットスペーサー部材（２１，４２）を介してのリール体２相互の連結を強固にし、しかもリール体２相互の間隔を常に一定の距離となるように保持させることができる。このときのスペーサーカバー本体４１と一体のナットスペーサー部４２は隣接するリール体２それぞれから貫挿した長尺ネジ材４３のネジ込み作業を簡単にさせる利点がある。
【００３３】
天井面に固定手段１３を介して取り付けたベース部材１０と、ベース部材１０にリール体取付手段１４を介して取り付けられ、タンデム配置状に複数並べて天井面から吊り下げられることになるリール体２と、吊り下げられた当該リール体２相互の隙間を覆い、且つ隣接するリール体２の外周縁部側面間に挟持される状態となってリール体２同士を保持固定させたスペーサーカバー本体３，４１と、スペーサーカバー本体３，４１により被覆されたリール体２同士の間隙に位置させたナットスペーサー部材２１，４２を介してネジ止め連結させるリール体連結固定手段２０，４０とを有するので、重量性のある内蔵バネ自体の重量バランスの不均衡によってリール体２自体が傾いてしまうのを確実に矯正する状態となって任意数のリール体２相互の間隙を閉塞化粧した状態で覆うことができる。またその複数連配置の全体がコンパクトで体裁が良好なものとなり、しかも複数連配置のリール体２それぞれの独立性を維持し、それらの個別の保守、点検が可能であり、単独使用の独立性あるリール体２の複数で安価な多連結型リール装置を形成することができる。
【図面の簡単な説明】
【図１】本発明の第１の実施の形態における分解斜視図である。
【図２】同じく側面図である。
【図３】同じく正面図である。
【図４】スペーサーカバー本体の側面図である。
【図５】図４におけるＸ−Ｘ線断面図である。
【図６】本発明の第２の実施の形態におけるリール体用連結カバー具の分解斜視図である。
【図７】同じくその使用状態における一部切欠側面図である。
【図８】同じく正面図である。
【符号の説明】
１…リール体用連結カバー具          ２…リール体
２Ａ，２Ｂ…カバー体                ３…スペーサーカバー本体
４…被巻回物                        ５…被巻回物引出口
６…ストッパー具
１０…ベース部材                    １１…天井部材
１２…アングル材                    １３…固定手段
１４…リール体取付手段
２０…リール体連結固定手段          ２１…ナットスペーサー材
２２…ネジ挿通孔                    ２３…ネジ材
３０Ａ，３０Ｂ…受片部              ３１Ａ，３１Ｂ…取付片部
３２Ａ，３２Ｂ…ネジ取付孔          ３３Ａ，３３Ｂ…保持片部
３４Ａ，３４Ｂ…補強リブ            ３５Ａ，３５Ｂ…挿入部
３６…ガイド片部                    ３７…長尺ネジ材
３８…ナット材
４１…スペーサーカバー本体          ４２…ナットスペーサー部
４３…長尺ネジ材                    ４４…取付片
４５…ネジ材                        ４６…ネジ孔
【図１】
0004512234.tif 000002
【図２】
0004512234.tif 000003
【図３】
0004512234.tif 000004
【図４】
0004512234.tif 000005
【図５】
0004512234.tif 000006
【図６】
0004512234.tif 000007
【図７】
0004512234.tif 000008
【図８】
0004512234.tif 000009